(57)【要約】【課題】  掃除機とモップとを同時に保管できるだけでなく、保管状態においてモップに付着している塵埃を掃除機で吸い取ることができる、清掃用具保管台を提供すること。【解決手段】  掃除機５を立てた状態で載置するための載置台３と、モップ６を収納するための収納ケース４とが、保管台ベース２を介して、並設されて一体となっており、載置台３に載置された掃除機５の吸引部５１の吸引口と収納ケース４とを連通させる連通機構を備えていることを特徴としている。【選択図】図２
2005110787.tif 000002
【特許請求の範囲】
【請求項１】
掃除機とモップとを同時に保管可能である清掃用具保管台であって、
掃除機を立てた状態で載置するための載置台と、モップを収納するための収納ケースとが、並設されて一体となっており、
載置台に載置された掃除機の吸引口と収納ケースとを連通させる連通機構を備えていることを特徴とする清掃用具保管台。
【請求項２】
載置台が充電式の掃除機を充電するための充電機構を備えている、請求項１記載の清掃用具保管台。
【請求項３】
載置台と収納ケースとが直接に一体となっており、
連通機構が、掃除機の吸引口に通じるよう載置台に形成された連通部と、収納ケースの底部に形成された開口と、連通部と開口とを連通させる連絡通路又はホースとで、構成されており、
連絡通路は、載置台内を仕切って形成されている、請求項１記載の清掃用具保管台。
【請求項４】
載置台と収納ケースとが保管台ベースを介して一体となっており、両者が保管台ベース上に設けられており、連通機構が保管台ベース内に設けられている、請求項１記載の清掃用具保管台。
【請求項５】
連通機構が、掃除機の吸引口に通じるよう載置台に形成された連通部と、連通部に通じるよう保管台ベースの上面に形成された貫通孔と、収納ケースの底部に形成された開口と、貫通孔と開口とを連通させる連絡通路又はホースとで、構成されており、
連絡通路は、保管台ベース内を仕切って形成されている、請求項４記載の清掃用具保管台。
【請求項６】
載置台が保管台ベース上にて垂直軸回りに９０度ずつ回動可能に設けられている、請求項４記載の清掃用具保管台。
【請求項７】
収納ケースの上開口が、水平軸回りに回動してモップを挿入可能とし且つ回動しても元に戻るようになっている蓋で、塞がれている、請求項１記載の清掃用具保管台。
【請求項８】
収納ケースの上開口の一部又は全部を塞ぐ蓋が、モップの柄を把持する把持部を有している、請求項１記載の清掃用具保管台。
【請求項９】
把持部が、蓋の縁に形成された溝からなっている、請求項８記載の清掃用具保管台。
【請求項１０】
収納ケースの底面の少し上方が、塵埃を通過可能な網板で塞がれている、請求項１記載の清掃用具保管台。
【発明の詳細な説明】
【技術分野】
【０００１】
本発明は、掃除機とモップとを同時に保管でき、しかも、保管状態において、モップに付着している塵埃を掃除機で吸い取ることができる、清掃用具保管台に関するものである。
【背景技術】
【０００２】
掃除機とモップとを同時に載置収納できる載置台は、特許文献１に示すように、公知である。
【特許文献１】特開２００１−３４６７２７号公報
【発明の開示】
【発明が解決しようとする課題】
【０００３】
しかしながら、従来公知の載置台は、掃除機とモップとを、ただ単に、同時に載置収納するだけのものであった。
【０００４】
本発明は、掃除機とモップとを同時に保管できるだけでなく、保管状態においてモップに付着している塵埃を掃除機で吸い取ることができる、清掃用具保管台を提供することを目的とする。
【課題を解決するための手段】
【０００５】
請求項１記載の発明は、掃除機とモップとを同時に保管可能である清掃用具保管台であって、掃除機を立てた状態で載置するための載置台と、モップを収納するための収納ケースとが、並設されて一体となっており、載置台に載置された掃除機の吸引口と収納ケースとを連通させる連通機構を備えていることを特徴としている。
【０００６】
請求項２記載の発明は、請求項１記載の発明において、載置台が充電式の掃除機を充電するための充電機構を備えているものである。
【０００７】
請求項３記載の発明は、請求項１記載の発明において、載置台と収納ケースとが直接に一体となっており、連通機構が、掃除機の吸引口に通じるよう載置台に形成された連通部と、収納ケースの底部に形成された開口と、連通部と開口とを連通させる連絡通路又はホースとで、構成されており、連絡通路は、載置台内を仕切って形成されているものである。
【０００８】
請求項４記載の発明は、請求項１記載の発明において、載置台と収納ケースとが保管台ベースを介して一体となっており、両者が保管台ベース上に設けられており、連通機構が保管台ベース内に設けられているものである。
【０００９】
請求項５記載の発明は、請求項４記載の発明において、連通機構が、掃除機の吸引口に通じるよう載置台に形成された連通部と、連通部に通じるよう保管台ベースの上面に形成された貫通孔と、収納ケースの底部に形成された開口と、貫通孔と開口とを連通させる連絡通路又はホースとで、構成されており、連絡通路は、保管台ベース内を仕切って形成されているものである。
【００１０】
請求項６記載の発明は、請求項４記載の発明において、載置台が保管台ベース上にて垂直軸回りに９０度ずつ回動可能に設けられているものである。
【００１１】
請求項７記載の発明は、請求項１記載の発明において、収納ケースの上開口が、水平軸回りに回動してモップを挿入可能とし且つ回動しても元に戻るようになっている蓋で、塞がれているものである。
【００１２】
請求項８記載の発明は、請求項１記載の発明において、収納ケースの上開口の一部又は全部を塞ぐ蓋が、モップの柄を把持する把持部を有しているものである。
【００１３】
請求項９記載の発明は、請求項８記載の発明において、把持部が、蓋の縁に形成された溝からなっているものである。
【００１４】
請求項１０記載の発明は、請求項１記載の発明において、収納ケースの底面の少し上方が、塵埃を通過可能な網板で塞がれているものである。
【発明の効果】
【００１５】
請求項１記載の発明によれば、掃除機とモップとを同時に保管でき、しかも、保管状態において、モップに付着している塵埃を、掃除機で吸い取ることにより容易に処分できる。
【００１６】
請求項２記載の発明によれば、充電式の掃除機を保管状態で充電できるので、充電忘れや充電不足を解消できる。
【００１７】
請求項３記載の発明によれば、簡素な構成で清掃用具保管台を実現できる。
【００１８】
請求項４記載の発明によれば、清掃用具保管台の製造・組み立てが容易である。
【００１９】
請求項５記載の発明によれば、簡単な構成で連通機構を実現できる。
【００２０】
請求項６記載の発明によれば、載置台の向きを９０度間隔で任意の４方向に変えることができるので、それに応じて、載置する掃除機の向きも変えることができ、従って、掃除機及びモップを保管した清掃用具保管台を、設置場所の周囲状況や雰囲気に良好に適応させることができる。
【００２１】
請求項７記載の発明によれば、蓋に手を触れることなく、モップの払拭部を収納ケース内に挿入できる。しかも、その際、蓋の上面は下方に向けて傾斜するので、払拭部から蓋の上面に付着した塵埃を収納ケース内に落とすことができる。更に、蓋は回動しても元に戻るようになっているので、払拭部の挿入後、手を触れることなく、収納ケースの上開口を蓋で塞ぐことができる。
【００２２】
請求項８記載の発明によれば、収納ケースに収納されたモップの柄を把持できるので、モップの収納状態を安定したものにできる。
【００２３】
請求項９記載の発明によれば、把持部を簡単に実現できる。
【００２４】
請求項１０記載の発明によれば、払拭部から振り落とされた塵埃を網板を通して収納ケースの底面上に落とすことができるとともに、落ちた塵埃が払拭部に再付着するのを防止できる。
【発明を実施するための最良の形態】
【００２５】
図１は本発明の清掃用具保管台を示す斜視図である。この保管台１は、保管台ベース２と載置台３と収納ケース４とからなっている。載置台３と収納ケース４とは、保管台ベース２を介して一体となっており、両者は保管台ベース２上に設けられている。
【００２６】
図２に示すように、保管台１は、載置台３上に掃除機５を立てた状態で載置するとともに、収納ケース４にモップ６を立てた状態で収納するようになっている。なお、モップ６は払拭部６１を収納ケース４内に収納している。対象となる掃除機５は、スティック型が好ましく、更には充電式のものが好ましく、ここでは、スティック型で充電式のものを対象としている。対象となるモップ６は、柄６２の長いフロアモップでも、柄の短いハンディモップでもよいが、ここでは、フロアモップを対象としている。
【００２７】
載置台３は、図１に示すように、掃除機５の吸引部５１が載置される前面部３１と、接地部５２が載置される後面部３２と、基端部５３を支持する支持部３３とを有している。更に、載置台３は、掃除機５を載置した際に掃除機５の充電入力端子（図示せず）に接続する出力端子３４と、電源接続コード３５と、を有している。支持部３３は、両側に凸部３３１を有しており、基端部５３を後方から抱く形に構成されている。
【００２８】
なお、掃除機５は、充電式のスティック型掃除機であり、本体５０が柄も兼ねており、本体５０の基部にサイクロン５４を有しており、本体５０の基端部５３に、水平軸回りに回動可能に接地部５２が連結されており、接地部５２に吸引部５１が一体となっている。
【００２９】
載置台３は、中央部にて、ねじ３６により、保管台ベース２上に取り付けられている。従って、載置台３は、ねじ３６を外すことにより、保管台ベース２から取り外すことができ、また、ねじ３６を緩めることにより、保管台ベース２上でねじ３６回り（垂直軸回り）に回動させることができる。
【００３０】
図３は載置台３を取り外した保管台１の分解斜視図である。収納ケース４は、筒状のケース本体４１と、ケース本体４１の上開口の全部を塞ぐ蓋４２と、保管台ベース２の上面で形成されている底面４３と、底面４３の少し上方に設置される網体４４とからなっている。底面４３は、周辺から中央の開口４３１に向かって低くなるよう傾斜しており、開口４３１の周りに網体４４を下から支持する４本の突起４３２を有している。収納ケース４は、底面４３の周縁４３３及び突起４３２の上に網体４４を設置するとともに、ケース本体４１の下縁４１１を底面４３の周縁４３３上に載せて、構成されている。蓋４２は、図４に示すように、一辺４２１回り（水平軸回り）に回動可能となっている。なお、蓋４２は、回動しても元の状態（図３の状態）に戻るよう、ばね等（図示せず）で付勢されている。また、蓋４２の縁４２２の中央にはモップ６の柄６２を嵌め込んで把持するための溝４２３が形成されている。
【００３１】
図３に示すように、保管台ベース２には、連絡通路２１が形成されている。連絡通路２１は、収納ケース４の開口４３１と、保管台ベース２の上面に形成された４つの貫通孔２２１、２２２、２２３、２２４とを連通させるよう、形成されている。保管台ベース２の内部は中空であり、連絡通路２１は、保管台ベース２の内部を仕切って構成されている。
【００３２】
図１の状態においては、載置台３の連通部３７が貫通孔２２２に連結しており、他の貫通孔２２１、２２３、２２４は栓（図示せず）により塞がれている。連通部３７は、図５に示すように、掃除機５を載置台３に載置した場合に吸引部５１の吸引口内に挿入される挿入部３７１と、挿入部３７１に続く管部３７２とからなっている。即ち、連通部３７は、掃除機５の吸引部５１と保管台ベース２の貫通孔２２２とを連通させるようになっている。挿入部３７１は、吸引部５１の吸引口に対応して細長く開口している。
【００３３】
即ち、上記構成の保管台１において、掃除機５の吸引部５１と収納ケース４とを連通させる連通機構は、連通部３７と、貫通孔２２２と、連絡通路２１と、開口４３１とで構成されている。
【００３４】
このように、掃除機５を載置台３に載置した場合、掃除機５の吸引部５１と収納ケース４とは、連通部３７、貫通孔２２２、連絡通路２１、及び、開口４３１を経て、連通している。従って、上記構成の保管台１においては、掃除機５を載置台３に載置するとともに、モップ６の払拭部６１を収納ケース４内に収納した状態で、即ち、掃除機５及びモップ６を保管した状態で、払拭部６１を塵埃を振り落とすように振りながら掃除機５を作動させると、掃除機５の吸引力が収納ケース４内に及び、払拭部６１から振り落とされた塵埃が、底面４３から開口４３１に至り、開口４３１に吸い込まれて連絡通路２１を経て吸引部５１から掃除機５に吸い込まれる。よって、上記構成の保管台１によれば、モップ６の払拭部６１に付着した塵埃を、モップ６を保管した状態で容易に処分できる。
【００３５】
また、上記構成の保管台１においては、載置台３を、ねじ３６を緩めることにより、保管台ベース２上でねじ３６回りに回動させることができるので、例えば、図１の矢印Ａ方向に９０度回動させて、ねじ３６を締めると、掃除機５を、図６に示すような向きに載置できることとなる。この場合、連通部３７は貫通孔２２３に連結しており、他の貫通孔２２１、２２２、２２４は栓（図示せず）により塞がれている。なお、載置台３を、更に９０度回動させて連通部３７と貫通孔２２４とを連結した状態としてもよく、更に９０度回動させて連通部３７と貫通孔２２１とを連結した状態としてもよい。このように、上記構成の保管台１によれば、掃除機５の保管する際の向きを、任意に設定でき、従って、掃除機５及びモップ６を保管した保管台１を、設置場所の周囲状況や雰囲気に良好に適応させることができる。
【００３６】
また、載置台３が、出力端子３４及び電源接続コード３５からなる充電機構を有しているので、充電式の掃除機５を保管状態で充電でき、充電忘れや充電不足を解消できる。
【００３７】
また、収納ケース４が網板４４を有しているので、払拭部６１から振り落とされた塵埃を網板４４を通して底面４３上に落とすことができるとともに、落ちた塵埃が払拭部６１に再付着するのを防止できる。
【００３８】
また、収納ケース４の蓋４２が、一辺４２１回りに回動可能であるので、蓋４２に手を触れることなく、モップ６の払拭部６１を収納ケース４内に挿入できる。しかも、その際、蓋４２の上面は下方に向けて傾斜するので、払拭部６１から蓋４２の上面に付着した塵埃を収納ケース４内に落とすことができる。更に、蓋４２は回動しても元に戻るようになっているので、払拭部６１の挿入後、手を触れることなく、収納ケース４の上開口を蓋４２で塞ぐことができる。
【００３９】
更に、収納ケース４の蓋４２が溝４２３を有しているので、溝４２３にモップ６の柄６２を嵌め込むことにより、モップ６を把持することができ、モップ６の収納状態を安定したものにできる。
【００４０】
更に、次のような構成を採用してもよい。
（１）保管台１における連通機構を、図７に示すように構成してもよい。即ち、図７においては、収納ケース４の底面４３の開口４３１と、保管台ベース２の上面に形成した貫通孔２２５とが、ホース２２で連結されており、貫通孔２２５が円弧状に１８０度移動できるようになっている。なお、貫通孔２２５は、図５に示す連通部３７に連結される。この連通機構によれば、載置台３の向きを９０度ずつ隔てた３方向に任意に設定できる。
【００４１】
（２）収納ケース４の蓋を、図８に示すように構成してもよい。即ち、図８においては、蓋４７がケース本体４１の上開口の半分を塞ぐよう設けられている。そして、上開口の塞がれていない残りの半分４１２は蓋４７より一段低くなっている。このような蓋４７によれば、モップ６の払拭部６１を、収納ケース４内に、半分４１２を通して斜め方向からも挿入できるので、モップ６を容易に収納できる。なお、蓋４７の縁４７１の中央には、溝４７２が形成されており、これにより、モップ６の柄６２を把持でき、従って、モップ６の収納状態を安定したものにできる。
【００４２】
（３）上記構成の保管台１では、載置台３の向きが可変となっているが、可変とする必要がない場合には、載置台３と保管台ベース２とを一体に成形してなる１つの成形体としてもよい。その場合の連通機構は、連通部３７と、連通部３７に直接に連通する連絡通路２１又はホース２２と、収納ケース４の開口４３１とで構成される。
【００４３】
（４）保管対象となる掃除機は、吸引部の吸引口を載置台に対向させて載置できるものであれば、キャニスター式のものでもよい。
【００４４】
（５）収納ケース４は蓋の無いものを用いてもよい。
【００４５】
（６）載置台３を保管台ベース２上に取り付ける場合において、連通部３７に連結されない貫通孔２２１等を、上記構成の保管台１では栓により塞ぐようにしているが、載置台３の下面により塞ぐようにしてもよい。
【産業上の利用可能性】
【００４６】
本発明の清掃用具保管台は、掃除機とモップとを同時に保管できるだけでなく、保管しているモップの払拭部に付着している塵埃を、保管している掃除機で吸引できるので、清掃用具の付属品として非常に有益なものであり、産業上の利用価値が大なるものである。
【図面の簡単な説明】
【００４７】
【図１】本発明の清掃用具保管台を示す斜視図である。
【図２】図１の清掃用具保管台により掃除機及びモップを保管した状態を示す斜視図である。
【図３】図１の清掃用具保管台の、載置台を除いた分解斜視図である。
【図４】収納ケースの蓋の作動状態を示す斜視図である。
【図５】載置台の連通部の全体斜視図である。
【図６】載置台の向きを変えた、図２に相当する図である。
【図７】保管台ベースにおける連通機構の別の例を示す斜視図である。
【図８】収納ケースの蓋の別の例を示す斜視図である。
【符号の説明】
【００４８】
１  清掃用具保管台
２  保管台ベース
２１  連絡通路
２２  ホース
３  載置台
３７  連通部
４  収納ケース
４２、４７  蓋
４２２、４７１  縁
４２３、４７２  溝
４３  底面
４３１  開口
４４  網体
５  掃除機
６  モップ
６２  柄
【図１】
2005110787.tif 000003
【図２】
2005110787.tif 000004
【図３】
2005110787.tif 000005
【図４】
2005110787.tif 000006
【図５】
2005110787.tif 000007
【図６】
2005110787.tif 000008
【図７】
2005110787.tif 000009
【図８】
2005110787.tif 000010